(57)【特許請求の範囲】
【請求項１】
前面中央に鍵穴を有し扉に取り付け可能な円筒状の錠本体と、該本体の内側にこれと同軸に回転可能に配され、その中央に鍵穴を有する主ローターと、
該主ローターの側壁に設けられた少なくとも１個のピンタンブラー式の第一ロック機構と、
スプリングで付勢され、錠の軸方向にのみ移動可能な板状部材を前記主ローター後方に配し、該板状部材の所定の部位に前方に突出する少なくとも１個のロックピンを取り付けて、施錠時に前記ロックピンが前記主ローター背面に設けられたピン孔に嵌合して、前記主ローターの回転が阻止されるように構成した第二ロック機構と、
前記第一ロック機構のタンブラーピンの内の少なくとも１個の外側に配された第一接点レバーと、該接点レバーにより作動するマイクロスイッチとからなり、異形の鍵で前記主ローターを回転させた時に、前記タンブラーピンの外側端部が前記第一接点レバーと接触して警報を発するように構成した第一アラーム機構と、前記錠本体の背面中央に配されたマイクロスイッチと、該マイクロスイッチから、前記板状部材中央に設けた開口部を通して、軸方向前方に前記主ローター背面付近まで突出させた第二接点レバーとからなり、異形の鍵を鍵穴に挿入した時に、鍵先端が前記第二接点レバーと接触して警報を発するように構成した第二アラーム機構とを有することを特徴とするピッキング防止錠。
【請求項２】
請求項１記載の構成に加えて、さらに前記錠本体の内側の前記主ローターの前面に、その中央に鍵穴を有する補助ローターを前記主ローターと同軸に回転可能に配するとともに、一端を錠本体に他端を該補助ローターに取り付けたスプリングで、前記補助ローターを周方向に付勢して、施錠後合鍵を抜いた時に、前記補助ローターが所定角度逆転して、前方鍵穴から主ローターの鍵穴形状を視認できないように構成したことを特徴とするピッキング防止錠。
【請求項３】
一つの扉に互に独立に施錠する主錠と補助錠を有するダブルロック式の施錠システムにおいて、
少なくとも該補助錠に請求項１又は２記載のピッキング防止錠を用いるとともに、主錠及び補助錠のそれぞれにおいて、扉を外枠に係止する係止爪の動作により作動するスイッチング素子を配し、これらのスイッチング素子が組み込まれた警報回路を構成して、両錠が共に解錠状態若しくは施錠状態にある時及び補助錠が解錠された後主錠が解錠された場合には警報が発せられないが、補助錠を解錠することなく主錠が解錠された場合に警報が発せられるようにしたことを特徴とする施錠システム。
【発明の詳細な説明】
【０００１】
【発明の属する技術分野】
本発明は、不正目的での解錠が困難なピッキング防止錠とこれを用いた施錠システムに関する。
【０００２】
【従来の技術】
従来から、住宅やオフィスの出入り口や機器の開閉扉には、ピンタンブラー式のシリンダー錠が多用されている。これは、２分割されたタンブラーピンを錠の軸方向に多数配置し、鍵穴に挿入された合鍵の側面でタンブラーピンを押して、その分割面が外筒と内筒の摺動面に合致した時に、内筒が回転可能になり、解錠されるというものである。
【０００３】
しかし、このシリンダー錠は、鍵穴から針金やピッキング用具を挿入して、タンブラーピンの適切な位置を試行的に探していくことにより、比較的容易に不正解錠しうるという問題を有している。そのため、錠の構造をより不正解錠しにくいものにしようとする試みが従来から多数提案されているが、その多くは錠のロッキングの機構をより複雑にして、不正解錠に対応しようとするものである。
【０００４】
そのため、錠の構造がきわめて複雑になり、錠が大型になったり、製作しにくいものになったりして、錠が高価になるという問題がある。また、構造の複雑化に伴い、必要な加工精度も高くなり、長期間の使用で鍵や錠が摩耗した場合に正しく作動しなくなるという問題もある。
【０００５】
【発明が解決しようとする課題】
本発明は、上記従来技術の問題点に鑑み、シリンダー錠内部に不正解錠に対応するアラーム機構を配し、ロック機構とアラーム機構を適切に組み合わせることにより、ロック機構自体は比較的簡単でも、アラーム機構により心理的影響を与えて、不正解錠を困難にする手段を提供することを目的とする。
【０００６】
【課題を解決するための手段】
上記課題を解決するための本発明のピッキング防止錠の第一は、
前面中央に鍵穴を有し扉に取り付け可能な円筒状の錠本体と、
該本体の内側にこれと同軸に回転可能に配され、その中央に鍵穴を有する主ローターと、
該主ローターの側壁に設けられた少なくとも１個のピンタンブラー式の第一ロック機構と、
スプリングで付勢され、錠の軸方向にのみ移動可能な板状部材を前記主ローター後方に配し、該板状部材の所定の部位に前方に突出する少なくとも１個のロックピンを取り付けて、施錠時に前記ロックピンが前記主ローター背面に設けられたピン孔に嵌合して、前記主ローターの回転が阻止されるように構成した第二ロック機構と、
前記第一ロック機構のタンブラーピンの内の少なくとも１個の外側に配された第一接点レバーと、該接点レバーにより作動するマイクロスイッチとからなり、異形の鍵で前記主ローターを回転させた時に、前記タンブラーピンの外側端部が前記第一接点レバーと接触して警報を発するように構成した第一アラーム機構と、前記錠本体の背面中央に配されたマイクロスイッチと、該マイクロスイッチから、前記板状部材中央に設けた開口部を通して、軸方向前方に前記主ローター背面付近まで突出させた第二接点レバーとからなり、異形の鍵を鍵穴に挿入した時に、鍵先端が前記第二接点レバーと接触して警報を発するように構成した第二アラーム機構とを有することを特徴とするピッキング防止錠である。
【０００７】
また、本発明のピッキング防止錠の第二は、
上記第一発明のピッキング防止錠の構成に加えて、さらに前記錠本体の内側の前記主ローターの前面に、その中央に鍵穴を有する補助ローターを前記主ローターと同軸に回転可能に配するとともに、一端を錠本体に他端を該補助ローターに取り付けたスプリングで、前記補助ローターを周方向に付勢して、施錠後合鍵を抜いた時に、前記補助ローターが所定角度逆転して、前方鍵穴から主ローターの鍵穴形状を視認できないように構成したことを特徴とするピッキング防止錠である。
【０００８】
さらに、本発明の施錠システムは、
一つの扉に互に独立に施錠する主錠と補助錠を有するダブルロック式の施錠システムにおいて、
少なくとも該補助錠に上記第一又は第二発明のピッキング防止錠を用いるとともに、主錠及び補助錠のそれぞれにおいて、扉を外枠に係止する係止爪の動作により作動するスイッチング素子を配し、これらのスイッチング素子が組み込まれた警報回路を構成して、両錠が共に解錠状態若しくは施錠状態にある時及び補助錠が解錠された後主錠が解錠された場合には警報が発せられないが、補助錠を解錠することなく主錠が解錠された場合に警報が発せられるようにしたことを特徴とする施錠システムである。
【０００９】
【発明の実施の形態および実施例】
図１は、本発明の第一実施例であるピッキング防止錠の断面概要図で、図２は、本発明の第二実施例であるピッキング防止錠の断面概要図である。
【００１０】
まず、図１のピッキング防止錠の構成について説明する。この錠は、円筒状の錠本体１と、その内部に配された主ローター２と、本体１及び主ローター２の側面の貫通孔内に配された、１対のピンタブラー式のロック機構（第一ロック機構）３と、本体１の背面側（図の左側）内部に配された支持部材４及び板状部材５とからなる第二ロック機構と、本体１の側面（この例ではタンブラーピンの後方）に配された第一アラーム機構６と、本体１の背面に配された第二アラーム機構７と、ロック部材８とを有している。
【００１１】
錠本体１は、前面側（図の右側）が円板状、側面が円筒状で、その中央に鍵孔９が形成され、背面側のネジ孔１０により、扉に取り付け可能になっている。円筒状の主ローター２は、本体１の内側にこれと同軸に隙間なく嵌合するように形成され、本体１の内壁との接触面１１を摺動面として、自由に回転しうるように配設されている。また、主ローター２の中央には鍵穴９が形成され、これに鍵を挿入して、主ローターを回転させることができる。
【００１２】
第一ロック機構３は、通常のシリンダー錠のタンブラーピンと同様に、インナーピン１２（以下、符号は図５参照）、アウターピン１３、スプリング１４及びカバー１５から構成されており、施錠時には本体１と主ローター２の貫通孔の位置が一致して、スプリング１４で付勢されたアウターピン１３の一部が主ローターのピン孔内に嵌入するため、その回転がロックされる構成になっている。
【００１３】
なお、本実施例においては、上記のタンブラーピンは、両側に対象的に２個設けられているが、これが非対象の位置であってもよく、或いは片側に１個のみ設けてもよい。また、軸方向に複数個配置するような構成であってもよい。
【００１４】
以下、第二ロック機構、第一及び第二アラーム機構の構成と作動について、部分図を用いてさらに詳しく説明する。図３は、本実施例の第二ロック機構の構成を示す分解図である。このロック機構は、支持部材４、板状部材５、スプリング１８、主ローター２の背面に設けられた１対のロックピン孔１９より構成されている。
【００１５】
支持部材４は円筒状で、錠本体（図示していない）の背面側の内部に隙間なく嵌合されており、ネジ孔２０の位置で、錠本体にネジ止めで固定されている。また、支持部材４の前面側には、円環状のスプリング溝２１が形成されて、その内部にスプリング１８が収容されている。またスプリング溝２１の外側に１対の円孔状の支持ピン孔２２が軸対象に設けられている。
【００１６】
一方、板状部材５は、中央部に穴のあいた円板状で、その前面側（右側）に１対のロックピン２３が、背面側（左側）には１対の支持ピン２４が、ともに軸対象に固設されている。板状部材５は背面からスプリング１８によって付勢されているため、施錠時にロックピン２３は、主ローター２のピン孔１９に嵌入する。
【００１７】
また、支持ピン２４は常に支持ピン孔２２内にあって、板状部材５の回転を防止しつつ、これが軸方向にのみ移動しうるようにして、施錠時に主ローター２が板状部材５を介して、支持部材４にロックされるように構成している。なお、このロック機構と直接の関連はないが、支持部材４及び板状部材５の中央の孔に、スリーブ１７を通して第二接点レバー１６が背面側から挿入されてる。
【００１８】
図４は、上記の第二ロック機構の作動を説明するための図で、図４(ａ)は非施錠時の状態を示し、ロックピン２３と主ローター２のピン孔１９の位置が所定角度（この例では９０°）ずれているため、板状部材５はスプリング１８により付勢されて、主ローター２の背面に押し付けられているが、ロックピン２３の先端が主ローター２の背面で摺動し、主ローター２は任意に回転可能である。
【００１９】
施錠時に合鍵２５を鍵穴に挿入して９０°回すと、主ローター２が回転して図４(ｂ)に示すように、ロックピン２３とピン孔１９の位置が一致し、この状態で合鍵２５を抜くと、図４(ｃ)に示すように、スプリング１８により板状部材５が前方に移動して、ロックピン２３がピン孔１９に嵌入し、主ローター２が板状部材５を介して支持部材４にロックされて、その回転が阻止される。
【００２０】
図４(ｄ)は、本実施例における合鍵の形状を示す斜視図で、合鍵２５は、丸棒状の中心部材２６の両側に略等幅のフィン２７がほぼ中心部材の全長にわたって形成されており、中心部材２６の先端には凹み２８が形成されて、先端部は円管状になっている。フィン２７は、主ローター２を回転させ、かつ前記の第一ロック機構を解除する機能を有する。また、解錠時には、中心部材２６の先端で板状部材５を押して、第二ロック機構を解除するが、その先端に凹み２８を設けることにより、後述するように第二アラーム機構が作動するのを防止することができる。
【００２１】
なお、本発明において、第二ロック機構を構成する支持部材４、板状部材５の形状やロックピン２３、支持ピン２４の数などは、この例に限定されるものではなく、スプリングで付勢され、軸方向にのみ移動可能な板状部材を介して、主ローター２の背面をロックし、第一ロック機構と合わせて主ローターの回転を二重に阻止しうるものであればよい。
【００２２】
図５は、本実施例における第一アラーム機構の構成と作動を説明するための図で、図５(ａ)は合鍵で解錠する場合、図５(ｂ)は異形の鍵で解錠する場合を示す。このアラーム機構は、錠本体１の側壁付近に配されたマイクロスイッチ２９とこのスイッチを作動させる第一接点レバー３０とからなり、この接点レバー３０は、タンブラーピンの上部のカバー１５の孔とスプリング１４の中央部を通って、アウターピン１３の外側端部付近まで突出している。
【００２３】
合鍵２５で解錠する場合は、図５(ａ)に示すように、フィン２７の幅が適切なため、インナーピン１２とアウターピン１３の接触点が、本体１と主ローター２との接触面１１と同位置になり、主ローター２を廻しても、アウターピン１３が第一接点レバー３０に接触することはなく、マイクロスイッチ２９の接点は作動しない。
【００２４】
一方、フィンの幅が広い異形の鍵３１で解錠しようとすると、図５(ｂ)に示すように、インナーピン１２は接触面１１を越えて上方に押し上げられ、アウターピン１３が第一接点レバー３０に接触して、マイクロスイッチ２９の接点が作動することになる。マイクロスイッチ２９の接点が作動した時に、警報が発せられるように警報回路を構成すれば、異形の鍵で解錠しようとした場合のみ警報が発せられることになる。
【００２５】
図６は、本実施例における第二アラーム機構の構成と作動を説明するための図で、図６(ａ)は合鍵で解錠する場合、図６(ｂ)は異形の鍵で解錠する場合を示す。このアラーム機構は、錠本体（図示していない）背面中央付近配されたマイクロスイッチ３２とこのスイッチを作動させる第二接点レバー１６とからなり、この接点レバー１６は、板状部材５の中央の孔から、主ローター２の背面付近まで突出している。
【００２６】
合鍵２５で解錠する場合は、図６(ａ)に示すように、合鍵２５の先端に凹み２８が形成されているため、鍵先端の円管部で板状部材５を押して第二ロック機構を解除しても、鍵先端が第二接点レバー１６に接触することはなく、マイクロスイッチ３２の接点は作動しない。
【００２７】
一方、先端に凹みのない異形の鍵３１で解錠しようとすると、図６(ｂ)に示すように、鍵の先端が板状部材５を押して第二ロック機構を解除する以前に、これが第二接点レバー１６に接触して、マイクロスイッチ３２の接点が作動することになる。
【００２８】
上記の第一及び第二のアラーム機構のいずれも、マイクロスイッチ２９，３２はなるべく小型であることが好ましいが、従来から市販されている製品を使用することができる。また警報ブザーは、錠周辺、オフィスや集合住宅の場合は管理人室及び必要に応じて警備会社等に設置することが考えられるが、かかる警報回路の構成等は従来技術で対応することができ、本発明においてとくに限定することを要しない。
【００２９】
次に、本発明の第二実施例である図２のピッキング防止錠について説明する。この錠も、図１の錠と同様に錠本体１の内部に主ローター２が配され、第一ロック機構３、第二ロック機構、第一アラーム機構６及び第二アラーム機構７を有し、それらの構成も上記と同様であるが、本体１の内部に補助ローター３３を有する点が相違している。
【００３０】
補助ローター３３は、主ローター２の前方（図の右側）に、これと同軸に配され、中央の鍵穴９に鍵を挿入して、主ローター２と同時に回転させうるように構成されている。また、補助ローター３３の前面側には、ゼンマイバネ３４が取り付けられている。このゼンマイバネ３４は、内側端部が補助ローター３３に、外側端部が錠本体１に固定されており、鍵穴から鍵を抜くと、補助ローター３３のみが逆回転して、施錠前の位置に戻るように構成されている。
【００３１】
かかる構成により、施錠された状態で主ローター２の鍵穴形状を外部から視認することができなくなる。したがって、補助ローターの鍵穴形状を主ローターのそれと異なるようにすれば（ただし、主ローターの鍵穴形状を内包するように、これより大きくすることが必要）、主ローターの不正解錠を一層困難にすることができる。
【００３２】
上記の図１及び図２の錠において、主ローター２の前面に接して、帯板状のロック部材８が配されており、このロック部材８は、主ローターの回転により錠の軸線と直角な方向の直線運動が与えられ、その一端が扉の外枠の係止孔（図示していない）に係合する係止爪として機能する。かかる係止爪は、従来の錠で常用されているものであり、ロック部材８の形状、構造、取付け位置等については、本発明においてとくに限定することを要しない。
【００３３】
また、上記のいずれの錠においても、固定式のストッパーピンを側壁から軸心方向に突出させて、鍵のフィンに切り込みがない場合には、このストッパーピンがフィンに突き当たるため、鍵が回転不能になるという構成をとることができる。
【００３４】
すなわち、錠本体側壁にこのようなストッパーピンを固設するとともに、主ローター側面のこのピンに対応する位置に扇形の切欠き窓を設けて、主ローターがこのピンと接触することなく回転しうるようにし、かつストッパーピンの先端が鍵のフィンの内側まで突出するようにしておけば、フィンの特定の位置に切り込みのある鍵でなければ、鍵を回すことができない。かかる構成をとれば、ストッパーピンの位置を錠の軸方向に種々変えることにより、合鍵の形状のバリエーションが多くなり、不正解錠を一層困難にすることができる。
【００３５】
本発明のピッキング防止錠は、上記のように構成されているため、以下のような効果が得られる。
▲１▼錠側面のピンタンブラー式の第一ロック機構に加えて、錠背面の第二ロック機構を設けているため、鍵側面の形状のみならず、鍵の長さや先端形状が合致しなければ解錠できない。そのため、側面のタンブラーピンの数を少なくしても、不正解錠の困難度は大きい。
▲２▼アラーム機構を設けたことにより、不正解錠者に与える心理的影響が大きい。不正解錠者は、種々の形状の鍵又は用具を用いて、試行的に解錠を試みるから、本発明の第一、第二アラーム機構のいずれかにより確実に警報が発せられ、それ以上の試行を断念させることができる。
▲３▼不正解錠の阻止を単に複雑なロック機構のみに依存することなく、アラーム機構との組み合わせにより問題の解決を図っていること、及びロック機構とアラーム機構共に半径方向に作動するものと軸方向に作動するものを適切に組み合わせていることから、錠の構造は比較的簡単かつコンパクトであり、安価に製作することができる。
▲４▼補助ローターを組み込んだ第二実施例の錠では、主ローターの鍵穴形状を外部から視認できないため、不正解錠が一層困難になる。
【００３６】
次に、本発明の施錠システムについて説明する。
図７は、本発明の施錠システムの実施例の説明図である。扉４０の把手４１の周辺に配された主錠４２は、通常のシリンダー錠であり、これと独立に施錠する補助錠４３には、本発明のピッキング防止錠を用いている。また、主錠及び補助錠の係止爪４４には、それぞれその動作によって作動するスイッチング素子４５，４６が配されている。
【００３７】
主錠のスイッチング素子４５は、解錠の状態で警報回路がＯＮになり、施錠の状態でＯＦＦなるように構成され、補助錠のスイッチング素子４６は、逆に施錠でＯＮ、解錠でＯＦＦになるようように構成され、両者が直列に警報回路に組み込まれている。
【００３８】
通常は主錠、補助錠共に解錠されているから、回路はオープン状態でブザー４７は作動しない。この状態から、まず主錠４２を施錠し、ついで補助錠４３を施錠すると、回路をオープン状態を維持し、両錠を共に施錠した状態でも警報は発せられない。正規の解錠の場合には、まず補助錠を解錠し、ついで主錠を解錠する手順をとることとすれば、二つの錠を解錠しても警報は発せられない。
【００３９】
一方、不正解錠する場合には、本発明のピッキング防止錠を用いた補助錠４３の解錠が難しいため、通常は主錠４２を先に解錠しようとする。補助錠を解錠することなく主錠を解錠すると、警報回路が導通状態になり、警報が発せられることになる。このような構成をとることにより、本発明のピッキング防止錠を有効に活用して、きわめて安全性の高い防犯システムを構築することができる。
【００４０】
なお、上記の構成では、正規の施錠でも、補助錠を先に施錠すると警報が発せられることになって好ましくない。この問題に対する対応策は種々考えられるが、例えば図７に示すように、補助錠のスイッチング素子４６と警報回路の間にタイマー４８を配して、スイッチング素子４６が作動して所定時間（数分程度）経過してから警報回路が導通状態になるようにすれば、その間に主錠も施錠されるので、警報が発せられることはない。
【００４１】
また、本発明の施錠システムにおいて、主錠と補助錠の関係は、１錠方式の場合に通常取り付けられる位置、例えば扉の把手やノブの内部若しくはその周辺又は開き戸の中央部付近に取り付けられた錠を、主錠とするのが一般的である。これにより、既設の錠をそのまま主錠として、本発明の施錠システムを構築することができる。ただし、本発明において、主錠と補助錠の関係をこれに限定する必要はなく、一つの扉に取り付けられた２個の錠のいずれか一方を主錠、他方を補助錠と解して、前記の構成にすればよい。
【００４２】
さらに本発明の施錠システムは、本発明のピッキング防止錠を解錠することなく主錠を解錠しようとすると、警報が発せられるように構成されていればよく、スイッチング素子の作動の仕方や警報回路の構成等は、上記の例に限定されるものではない。当然のことながら、主錠、補助錠共に本発明のピッキング防止錠を用いてもよい。
【００４３】
なお、近年は錠を暴力的に破壊して扉を開けるような犯罪行為も少なくない。これに対しては、本発明のピッキング防止錠を正規に解錠することなく、扉を開けようとすれば警報が発せられ、必要な通報先に通報されるような警報回路を設けておけば、かかる暴力的解錠行為にも対処することができ、不正解錠が困難であるという本発明の錠の特色を活かすことができる。
【００４４】
【発明の効果】
本発明により、防犯上きわめて安全性の高いピッキング防止錠と施錠システムを提供することが可能になった。本発明のピッキング防止錠及び施錠システムは、一般の住宅、オフィス、倉庫等のドアのみならず、金庫や物品保管庫の扉などにも好適に適用できる。
【図面の簡単な説明】
【図１】本発明の第一実施例であるピッキング防止錠の断面概要図である。
【図２】本発明の第二実施例であるピッキング防止錠の断面概要図である。
【図３】本実施例における第二ロック機構の構成を示す分解図である。
【図４】本実施例における第二ロック機構の作動の説明図である。
【図５】本実施例における第一アラーム機構の構成と作動の説明図である。
【図６】本実施例における第二アラーム機構の構成と作動の説明図である。
【図７】本発明の実施例である施錠システムの説明図である。
【符号の説明】
１  錠本体                          ２  主ローター
３  第一ロック機構                  ４  支持部材
５  板状部材                        ６  第一アラーム機構
７  第二アラーム機構                ８  ロック部材
９  鍵穴                            １０  ネジ孔
１１  接触面（摺動面）              １２  インナーピン
１３  アウターピン                  １４  スプリング
１５  カバー                        １６  第二接点レバー
１７  スリーブ                      １８  スプリング
１９  ロックピン孔                  ２０  ネジ孔
２１  スプリング溝                  ２２  支持ピン孔
２３  ロックピン                    ２４  支持ピン
２５  合鍵                          ２６  鍵の中心部材
２７  鍵のフィン                    ２８  合鍵先端の凹み
２９  マイクロスイッチ              ３０  第一接点レバー
３１  異形の鍵                      ３２  マイクロスイッチ
３３  補助ローター                  ３４  ゼンマイバネ
４０  扉                            ４１  把手
４２  主錠                          ４３  補助錠
４４  係止爪                        ４５  主錠のスイッチング素子
４６  補助錠のスイッチング素子      ４７  ブザー
４８  タイマー
【図１】
0003711047.tif 000002
【図２】
0003711047.tif 000003
【図３】
0003711047.tif 000004
【図４】
0003711047.tif 000005
【図５】
0003711047.tif 000006
【図６】
0003711047.tif 000007
【図７】
0003711047.tif 000008